(57)【特許請求の範囲】
【請求項１】
吸収体と、下着又はおむつに対して着脱可能に係合する係合部と、を有する吸収性パッドであって、
前記吸収性パッドの非肌対向面には、前記係合部が設けられ、
前記吸収性パッドの肌対向面には、前記係合部に対応する領域に配置され、かつ周囲の前記吸収性パッドの肌対向面と触感が異なる識別部が設けられ、
前記識別部は、厚み方向に突出する凸部又は厚み方向に凹む凹部である、吸収性パッド。
【請求項２】
前記吸収性パッドは、装着者の前側に配置される前側域と、装着者の後側に配置される後側域と、前記前側域と前記後側域との間に位置する股下域と、を有し、
前記前側域、前記後側域、及び前記股下域は、それぞれ前記吸収性パッドを前後方向に三等分した領域であり、
前記係合部及び前記識別部は、前記前側域と前記後側域にそれぞれ設けられる、請求項１の吸収性パッド。
【請求項３】
前記識別部は、前記吸収体が厚み方向に圧搾された圧搾部によって形成される、請求項１又は請求項２に記載の吸収性パッド。
【請求項４】
前記識別部には、周囲の前記吸収性パッドの肌対向面と異なる色が付される、請求項１から請求項３のいずれかに記載の吸収性パッド。
【請求項５】
前記係合部に対応する領域は、厚み方向において前記係合部に重なる領域である、請求項１から請求項４のいずれかに記載の吸収性パッド。
【請求項６】
前記係合部に対応する領域は、厚み方向において前記係合部に重なる領域、及び前記重なる領域から前後方向に２０ｍｍ延びる領域である、請求項１から請求項４のいずれかに記載の吸収性パッド。
【請求項７】
前記係合部の少なくとも一部は、前記識別部の前後方向の外端縁よりも前後方向の外側に位置する、請求項１から請求項６のいずれかに記載の吸収性パッド。
【請求項８】
前記係合部と前記識別部は、前後方向においてずれて配置されており、
前記係合部は、厚み方向に突出する凸部であり、
前記識別部は、厚み方向に凹む凹部である、請求項１から請求項７のいずれかに記載の吸収性パッド。
【発明の詳細な説明】
【技術分野】
【０００１】
本発明は、吸収性パッドに関する。
【背景技術】
【０００２】
従来、おむつと、当該おむつに装着される吸収性パッドと、を有する吸収性物品が知られている（例えば、特許文献１参照）。特許文献１の吸収性パッドは、液透過性の表面シートと、液不透過性の裏面シートと、表面シートと裏面シートの間に配置された吸収体と、おむつの表面に吸収性パッドを装着するための接合手段と、を有する。吸収性パッドの接合手段は、裏面シートに設けられている。よって、装着者は、装着時に吸収性パッドの接合手段の位置を直接視認することができない。特許文献１の吸収性物品は、吸収性パッドを装着するための装着位置決め用目印がおむつに設けられ、おむつの装着位置決め用目印に対応する位置合わせ用目印が吸収性パッドに設けられている。よって、装着者は、装着位置決め用目印と位置合わせ用目印の位置に基づいて、おむつの適切な位置に吸収性パッドを装着する。
【先行技術文献】
【特許文献】
【０００３】
【特許文献１】特開２００３−９３４３８号公報
【発明の概要】
【発明が解決しようとする課題】
【０００４】
しかし、上述の吸収性物品には、以下の問題があった。
特許文献１の吸収性パッドをおむつに装着する際に、装着者は、装着位置決め用目印と位置合わせ用目印を視認して、装着位置決め用目印と位置合わせ用目印との位置を合わせる必要がある。しかし、例えば、高齢の装着者にあっては、装着位置決め用目印や位置合わせ用目印を視認し難いことがあり、吸収性パッドを適切な位置に装着できないことがあった。  
【０００５】
そこで、本開示は、上述の課題に鑑みてなされたものであり、吸収性パッドを視認し難い場合においても、下着やおむつの適切な位置に容易に装着できる吸収性パッドを提供することを目的とする。
【課題を解決するための手段】
【０００６】
本開示に係る吸収性パッド（吸収性パッド１）は、吸収体（吸収体４）と、下着又はおむつに対して着脱可能に係合する係合部（係合部６）と、を有する吸収性パッドであって、前記吸収性パッドの非肌対向面には、前記係合部が設けられ、前記吸収性パッドの肌対向面には、前記係合部に対応する領域に配置され、かつ周囲の前記吸収性パッドの肌対向面と触感が異なる識別部（識別部５）が設けられることを要旨とする。
【０００７】
本開示によれば、吸収性パッドを視認し難い場合においても、下着やおむつの適切な位置に容易に装着できる吸収性パッドを提供することができる。
【図面の簡単な説明】
【０００８】
【図１】本実施形態に係る吸収性パッドの平面図である。
【図２】図１に示した吸収性パッドの背面図である。
【図３】図１に示した吸収性パッドのＡ−Ａ断面図である。
【図４】図１に示した吸収性パッドを下着に装着する動作を説明するための図である。
【発明を実施するための形態】
【０００９】
（１）吸収性パッドの構成
図１から図３を参照して、実施形態に係る吸収性パッド１について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１０】
図１は、実施形態に係る吸収性パッド１の平面図である。図２は、図１に示す吸収性パッド１の背面図である。図３は、図１に示すＡ−Ａ断面図である。吸収性パッド１としては、下着又はおむつに装着される尿とりパッド、パンティーライナー（おりものシート）等の吸収性パッド、又は使い捨ておむつ等の体液吸収性物品と組み合わせて使うことにより、該物品の吸収容量を向上させることが可能な吸収性パッドを例示できる。本実施形態では、かかる吸収性パッド１として尿とりパッドが用いられるケースについて説明する。
【００１１】
吸収性パッド１は、着用者の前側Ｆと後側Ｒとに延びる前後方向Ｌと、前後方向Ｌに直交する幅方向Ｗと、厚み方向と、を有する。厚み方向は、肌対向面側及びその反対側である非肌対向面側を有する。
【００１２】
吸収性パッド１は、装着者の前側に配置される前側域Ｓ１と、装着者の後側に配置される後側域Ｓ２と、前側域Ｓ１と後側域Ｓ２との間に位置する股下域Ｓ３と、を有する。前側域Ｓ１、後側域Ｓ２、及び股下域Ｓ３は、それぞれ吸収性パッドを前後方向に三等分した領域である。
【００１３】
吸収性パッド１は、下着に固定される非肌対向面１Ｂと、着用者の肌に当接する肌対向面１Ａと、を有する。吸収性パッド１は、吸収体４と、吸収体４の肌対向面側に位置する表面シート２と、吸収体４の非肌対向面側に位置する裏面シート３と、吸収性パッド１の肌対向面１Ａに位置する識別部５と、吸収性パッド１の非肌対向面１Ｂに位置する係合部６と、を有する。
【００１４】
吸収体４は、吸収性パッド１の幅方向の中央及び前後方向の中央に配置されている。吸収体４は、親水性繊維、高分子吸水ポリマー等の吸収材料を有する。また、吸収体４は、吸収材料を覆うコアラップを有していてもよい。吸収体４は、前側域Ｓ１、後側域Ｓ２、及び股下域Ｓ３に跨がって配置されている。
【００１５】
表面シート２は、体液等の液体を透過する液透過性のシートである。表面シート２は、少なくとも吸収体４の肌対向面を覆う。表面シート２は、通常吸収性パッドに使用されているものを使用することができ、例えば、不織布、開孔フィルムなどを用いることができる。
【００１６】
裏面シート３は、体液等の液体を透過しない液不透過性のシートである。裏面シート３は、少なくとも吸収体４の非肌対向面側を覆う。裏面シート３は、通常吸収性パッドに使用されているものを使用することができ、例えば、非通気性や通気性のフィルム、不織布等を用いることができる。
【００１７】
識別部５は、吸収性パッド１の肌対向面に配置されている。具体的には、識別部５は、表面シート２の肌対向面に設けられている。識別部５は、周囲の吸収性パッドの肌対向面（本実施の形態においては、表面シートの肌対向面）と触感が異なるように構成されている。周囲の吸収性パッドの肌対向面とは、識別部５の平面視における周囲に位置する吸収性パッドの肌対向面である。
【００１８】
識別部５は、例えば、表面シートに形成された凹部又は凸部、少なくとも吸収体が厚み方向に圧縮された圧搾部、周囲の表面シートの摩擦係数と異なる摩擦係数を有する領域等によって構成できる。識別部５は、装着者が手で触れた際に、装着者が識別部５とその周囲との違いを触感によって識別できるように構成されていればよい。
【００１９】
識別部５を構成する凹部又は凸部は、表面シート２に凹凸加工が施されていてもよいし、吸収体４に凹凸加工が施されていてもよいし、表面シート２と吸収体４とに凹凸加工が施されていてもよい。また、識別部５を構成する圧搾部は、表面シート２に圧搾加工が施されていてもよいし、吸収体４に圧搾加工が施されていてもよいし、表面シート２と吸収体４とに圧搾加工が施されていてもよい。吸収体４に凹凸加工や圧搾加工が施された構成においては、装着者が当該加工を、表面シートを介して認識できればよい。
【００２０】
識別部５を構成する周囲の表面シートの摩擦係数と異なる摩擦係数を有する領域は、表面シートの素材や表面加工を識別部５のみ異ならせることによって実現できる。また、識別部５は、装着者が触感と共に視覚によって周囲と識別できるように構成されていてもよい。具体的には、周囲の吸収性パッドの肌対向面と異なる色が識別部５に付される構成や、周囲の吸収性パッドの肌対向面と異なる模様や図柄が識別部５に付される構成を例示できる。
【００２１】
係合部６は、下着又はおむつに対して着脱可能に係合するように構成されている。係合部６は、下着やおむつに対して着脱可能に係合するフック部材（図示せず）を有する。係合部６は、下着等に設けられた雄部材に係合する雌部材であってもよいし、下着等のいずれの面にも係合するように構成されていてもよい。
【００２２】
識別部５は、係合部６に対応する領域に配置されている。係合部６に対する領域とは、少なくとも厚み方向において係合部６に重なる領域を含む。係合部６に対する領域は、厚み方向において係合部６に重なる領域、及び重なる領域から前後方向に２０ｍｍ延びる領域であってもよい。
【００２３】
係合部６と識別部５は、前後方向Ｌにおいてずれて配置されていてもよいし、前後方向Ｌにおいて一致していてもよい。係合部６と識別部５が前後方向においてずれた状態とは、識別部５と係合部６が厚み方向において少なくとも一部が重なっている状態、及び識別部５と係合部６が厚み方向に重なっていない状態である。
【００２４】
本実施の形態においては、係合部６の一部と識別部５の一部が厚み方向において重なっている。係合部６の少なくとも一部は、識別部５の前後方向の外端縁（前端縁及び後端縁）よりも前後方向の外側に位置する。また、係合部６は、厚み方向に突出する凸部であり、識別部５は、厚み方向に凹む凹部である。
【００２５】
係合部６と識別部５は、前側域Ｓ１と後側域Ｓ２にそれぞれ設けられている。係合部６と識別部５は、股下域Ｓ３に設けられていない。
【００２６】
（２）作用・効果
吸収性パッドの肌対向面には、周囲と触感が異なる識別部５が設けられる。識別部５は、係合部６に対応する領域に設けられる。よって、装着者は、触感で識別部５の位置を把握することによって、吸収性パッド１の非肌対向面に位置する係合部６を直接視認できない場合であっても係合部６の位置を把握することができる。よって、吸収性パッドを視認し難い場合であっても、下着やおむつの適切な位置に吸収性パッドを容易に装着できる。例えば、視力が衰えた高齢の装着者においても、触感によって識別部５及び係合部６の位置を把握することができる。その結果、高齢者が自分で装着できるという意識を持つことができ、高齢者の自立を支援することができる。
【００２７】
図４に、吸収性パッドを下着に装着する動作を説明する図を示す。図４は、吸収性パッド１及び下着の前後方向に沿った断面を基準としている。吸収性パッドを下着等に装着する際は、一般的に、装着者が下着等を下ろし、腰をかけた状態で行われる。
【００２８】
具体的には、例えば、次の装着動作にとって下着等に吸収性パッドを装着できる。まず、装着者は、吸収性パッド１の前側域Ｓ１を一方の手で持ち、吸収性パッド１の後側域Ｓ２の他方の手で持つ（図４（ａ）参照）。装着者は、吸収性パッド１の股下域Ｓ３の肌対向面に手を当てて、下着Ｓの股下域に吸収性パッドの股下域を当接させる。次いで、装着者は、吸収性パッド１の股下域Ｓ３の肌対向面に当てた手を前側Ｆにスライド移動し、下着Ｓの前側域に吸収性パッド１の前側域Ｓ１の係合部６を止着する（図４（ｂ）参照）。そして、装着者は、下着Ｓの後側域に吸収性パッド１の後側域Ｓ２の係合部６を止着する（図４（ｃ）参照）。
【００２９】
係合部６が吸収性パッド１の非肌対向面側に位置するため、装着者は、吸収性パッド１の装着時に係合部６を直接視認できない。しかし、係合部６に対応する領域に識別部５が設けられているため、装着者は、吸収性パッドの肌対向面上の手を前後方向にスライド移動することにより、触感により識別部５を認識でき、係合部６の位置を把握できる。また、装着者が吸収性パッド１の識別部５を直接視認できない場合や識別部５を視認し難い場合においても、触感によって識別部５を認識でき、係合部６の位置を把握できる。加えて、吸収性パッド１に手を当ててスライド移動する一連の装着動作を行うことで、装着者が意図せずに識別部５を認識できるため、装着者の装着操作の負担を軽減できる。
【００３０】
識別部５は、厚み方向に突出する凸部又は厚み方向に凹む凹部であってもよい。装着者が吸収性パッドの肌対向面に沿って手を移動した際に、装着者の手が識別部５を構成する凸部又は凹部に当たる。装着者は、凸部や凹部に当たって手の動きを止めやすい。よって、感覚的に装着者に識別部５の位置を把握させることができる。
【００３１】
係合部６に対応する厚み方向において係合部６に重なる領域であってもよい。係合部６に重なる領域に識別部５が配置され、装着者は、識別部５の位置によって係合部６の正確な位置を把握できる。装着者は、識別部５を介して吸収性パッドの肌対向面側から非肌対向面側に吸収性パッドを押圧することにより、係合部６を下着等に止着できる。
【００３２】
係合部６の少なくとも一部は、識別部５の前後方向の外端縁よりも前後方向の外側に位置していてもよい。上述のように、下着等に吸収性パッド１を装着する際は、吸収性パッド１の股下域Ｓ３の肌対向面に当てた手を前側Ｆ及び後側Ｒにスライド移動し、下着Ｓの前側域に吸収性パッド１の前側域Ｓ１の係合部６を止着するとともに、下着Ｓの後側域Ｓ２に吸収性パッド１の後側域Ｓ２の係合部６を止着することができる。このとき、手の移動方向は、前後方向Ｌの外側に向かう方向である。装着者が、識別部５に当たった手を前後方向Ｌの外側かつ非肌対向面側に更に押すことにより、識別部５よりも前後方向の外側に位置する係合部６を下着等に押し当てることができる。吸収性パッドの股下域の肌対向面に当てた手を前側及び後側にスライドする一連の動作で、係合部６を下着等に適切に止着することができる。
【００３３】
係合部６は、厚み方向に突出する凸部であり、識別部５は、厚み方向に凹む凹部であってもよい。厚み方向において識別部５と係合部６の周囲とが重なった領域の厚みは、識別部５や係合部６が設けられていない領域の厚みよりも薄い。一方、厚み方向において識別部５の周囲と係合部６が重なった領域の厚みは、識別部５や係合部６が設けられていない領域の厚みよりも厚い。このように、凸部からなる係合部６と凹部からなる識別部５とを有することにより、吸収性パッドの厚み差を比較的大きくできる。よって、装着者は、識別部５や係合部６を認識し易くなる。
【００３４】
また、装着者は、吸収性パッド１を下着等に押し当てる際に、識別部５を押圧することができる。このとき、係合部６と識別部５が前後方向Ｌに一致している構成にあっては、係合部６は、装着者が識別部を押圧した際に厚み方向に押圧される。係合部６の係合フックは、その先端が下着に対して垂直に押し当たる。そのため、係合部６の係合フックが下着等に引っ掛かり難い。しかし、係合部６と識別部５が前後方向Ｌにずれている構成にあっては、係合部６は、装着者が識別部５を押圧した際に、厚み方向とともに前後方向に押圧される。係合部６の係合フックは、その先端が下着に対して斜めに押し当たる。そのため、係合部６の係合フックが下着等に引っ掛かり易くなる。更に、識別部５が凹部である構成にあっては、装着者が識別部５の凹部を指で押すことにより、係合フックを下着等に対して斜めに押し当てることができ、係合フックが下着等に掛かり易くなる。
【００３５】
（３）その他の実施形態
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００３６】
識別部５は、吸収体が厚み方向に圧搾された圧搾部によって形成されていてもよい。圧搾部は、周囲と比較して硬く、また周囲と比較して厚み方向に凹んでいる。よって、装着者は、厚み方向の変化と硬さの変化との両方によって識別部５を認識できる。更に、吸収性パッドの肌対向面に圧搾部を形成する際は、吸収性パッドの肌対向面側から非肌対向面側に向けて吸収性パッドを厚み方向に圧縮する。その結果、圧搾部の肌対向面は、周囲の肌対向面と比較して表面の模様や質感が異なる。よって、装着者は、視覚によっても識別部５を認識できる。
【００３７】
識別部５には、周囲の吸収性パッドの肌対向面と異なる色が付されていてもよい。周囲と異なる色が識別部５に付されているため、装着者は、視覚によっても識別部５を認識できる。
【００３８】
係合部６に対応する領域は、厚み方向において係合部６に重なる領域、及び重なる領域から前後方向に２０ｍｍ延びる領域であってもよい。装着者は、吸収性パッド１を下着等に押し当てる際に、識別部５を指で押圧することができる。一般的に、指で押圧した際に、指によって力を掛けられる範囲は、１０ｍｍ程度である。厚み方向において係合部６に重なる領域から１０ｍｍまでの範囲は、装着者が指で識別部５を押圧した際に、係合部６に対して力を掛けることができる範囲である。また、厚み方向において係合部６に重なる領域から１０ｍｍを超えた範囲では、装着者が指で識別部５を押圧した際に、係合部６を下着に対して斜めに押し当てることができる範囲である。係合部６を下着に対して斜めに押し当てることにより、係合部６が下着等に引っかかり易くなる。一方、厚み方向において係合部６に重なる領域から２０ｍｍを超えた範囲では、装着者が指で識別部５を押圧した際に、係合部６に力が伝達し難くなるおそれがある。
【００３９】
また、高齢者によっては、着用操作時に指が震えてしまうことがあり、意図した箇所を押圧できないことがある。しかし、係合部６に対応する領域が、係合部６に重なる領域から前後方向に２０ｍｍ延びる領域であることにより、多少意図した箇所からずれた場合であっても、識別部５を介して係合部を押圧して、吸収性パッド１を下着に装着することができる。更に、係合部６に対応する領域が、係合部６に重なる領域から前後方向に２０ｍｍ延びる領域であることにより、多少製造誤差が生じた場合であっても、識別部５を介して係合部６を押圧して、吸収性パッド１を下着に装着することができる。
【００４０】
また、変形例として、係合部６が厚み方向に凹む凹部であり、識別部５が厚み方向に突出する凸部であってもよいし、係合部６及び識別部５の両方が凹部であってもよいし、係合部６及び識別部５の両方が凸部であってもよい。該構成によっても、係合部６の有無、及び識別部５の有無によって、吸収性パッドの厚み差を比較的大きくできる。よって、装着者は、識別部５や係合部６を認識し易くなる。
【符号の説明】
【００４１】
１…吸収性パッド
１Ａ…肌対向面
１Ｂ…非肌対向面
２…表面シート
３…裏面シート
４…吸収体
５…識別部
６…係合部
Ｓ１…前側域
Ｓ２…後側域
Ｓ３…股下域
【図１】
0006367101.tif 000002
【図２】
0006367101.tif 000003
【図３】
0006367101.tif 000004
【図４】
0006367101.tif 000005